(57)【要約】【課題】情報配信ノードＣＢＥ或いはコアネットワーク装置におけるデータの管理及び処理能力を大幅に向上させること無く、緊急情報に加えて付加情報を配信する。【解決手段】本発明に係る無線アクセスネットワーク装置は、セルと緊急情報の種別と付加情報とを関連付けて管理するように構成されている管理部１１と、緊急情報を配信するように指示された場合、配下のセルにおいて、かかる緊急情報と共に、かかるセル及び緊急情報の種別に関連付けられている付加情報を配信するように構成されている送信部１３とを具備する。【選択図】図５
2014060509.tif 000002
【特許請求の範囲】
【請求項１】
無線アクセスネットワーク装置であって、
セルと緊急情報の種別と付加情報とを関連付けて管理するように構成されている管理部と、
前記緊急情報を配信するように指示された場合、配下のセルにおいて、該緊急情報と共に、該セル及び該緊急情報の種別に関連付けられている付加情報を配信するように構成されている送信部とを具備することを特徴とする無線アクセスネットワーク装置。
【請求項２】
前記送信部は、共通チャネルによって、前記緊急情報及び前記付加情報を配信するように構成されていることを特徴とする請求項１に記載の無線アクセスネットワーク装置。
【請求項３】
前記管理部は、前記セルと前記緊急情報の種別と前記付加情報とに加えて、配信対象エリアとを関連付けて管理するように構成されており、
前記送信部は、前記緊急情報を配信するように指示された配信対象エリアに対応するセルにおいて、前記緊急情報及び前記付加情報を配信するように構成されていることを特徴とする請求項１に記載の無線アクセスネットワーク装置。
【請求項４】
前記緊急情報の配信指示と共に、前記付加情報の配信の要否についての指示情報を受信するように構成されている受信部を具備しており、
前記送信部は、前記指示情報に基づいて、前記付加情報を送信するべきか否かについて判定するように構成されていることを特徴とする請求項１に記載の無線アクセスネットワーク装置。
【請求項５】
前記送信部は、前記緊急情報と共に、前記付加情報を送信しているか否かについて通知するように構成されていることを特徴とする請求項４に記載の無線アクセスネットワーク装置。
【請求項６】
前記送信部は、前記緊急情報と共に、前記付加情報を送信しているセルの識別情報を通知するように構成されていることを特徴とする請求項４に記載の無線アクセスネットワーク装置。
【発明の詳細な説明】
【技術分野】
【０００１】
本発明は、無線アクセスネットワーク装置に関する。
【背景技術】
【０００２】
ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）やＰＷＳ（Ｐｕｂｌｉｃ  Ｗａｒｎｉｎｇ  Ｓｙｓｔｅｍ）等の緊急情報は、情報配信ノードＣＢＥ（Ｃｅｌｌ  Ｂｒｏａｄｃａｓｔ  Ｅｎｔｉｔｙ）によって決定される配信対象エリアＥＡ（Ｅｍｅｒｇｅｎｃｙ  Ａｒｅａ）に同時に配信されるように構成されている。
【先行技術文献】
【非特許文献】
【０００３】
【非特許文献１】３ＧＰＰ  ＴＳ３６.４１３
【発明の概要】
【発明が解決しようとする課題】
【０００４】
ｅＬＡ（ｅｎｈａｎｃｅｄ  Ｌｏｃａｌ  Ａｒｅａ）やＨＮＢ（Ｈｏｍｅ  ＮｏｄｅＢ）配下のセル等の小セルにおいて、きめ細やかな指示を行うために、緊急情報に対して、場所等に応じた付加情報（例えば、避難先）を載せるという運用形態を採用することが考えられる。
【０００５】
しかしながら、かかる運用形態を実現するためには、情報配信ノードＣＢＥ或いはコアネットワーク装置が、セル毎の付加情報についても管理する必要があり、情報配信ノードＣＢＥ或いはコアネットワーク装置において膨大なデータを管理及び処理する能力が必要になってくるという問題点があった。
【０００６】
そこで、本発明は、上述の課題に鑑みてなされたものであり、情報配信ノードＣＢＥ或いはコアネットワーク装置におけるデータの管理及び処理能力を大幅に向上させること無く、緊急情報に加えて付加情報を配信することができる無線アクセスネットワーク装置を提供することを目的とする。
【課題を解決するための手段】
【０００７】
本発明の第１の特徴は、無線アクセスネットワーク装置であって、セルと緊急情報の種別と付加情報とを関連付けて管理するように構成されている管理部と、前記緊急情報を配信するように指示された場合、配下のセルにおいて、該緊急情報と共に、該セル及び該緊急情報の種別に関連付けられている付加情報を配信するように構成されている送信部とを具備することを要旨とする。
【発明の効果】
【０００８】
以上説明したように、本発明によれば、情報配信ノードＣＢＥ或いはコアネットワーク装置におけるデータの管理及び処理能力を大幅に向上させること無く、緊急情報に加えて付加情報を配信することができる無線アクセスネットワーク装置を提供することができる。
【図面の簡単な説明】
【０００９】
【図１】本発明の第１の実施形態に係る移動通信システムの全体構成図である。
【図２】本発明の第１の実施形態に係る移動通信システムにおける移動管理ノードＭＭＥ配下の緊急情報の配信エリアの一例を示す図である。
【図３】本発明の第１の実施形態に係る無線基地局ｅＮＢの機能ブロック図である。
【図４】本発明の第１の実施形態に係る無線基地局ｅＮＢの管理部によって管理されている情報の一例を示す図である。
【図５】本発明の第１の実施形態に係る移動通信システムの動作を示すシーケンス図である。
【図６】本発明の第１の実施形態に係る移動通信システムの動作を示すシーケンス図である。
【発明を実施するための形態】
【００１０】
（本発明の第１の実施形態に係る移動通信システム）
図１乃至図６を参照して、本発明の第１の実施形態に係る移動通信システムについて説明する。
【００１１】
図１に示すように、本実施形態に係る移動通信システムは、コアネットワークＣＮ及び無線アクセスネットワークＲＡＮを具備している。
【００１２】
ここで、無線アクセスネットワークＲＡＮとしては、ＷＣＤＭＡ（Ｗｉｄｅｂａｎｄ  ＣＤＭＡ）方式の無線アクセスネットワーク及びＬＴＥ（Ｌｏｎｇ  Ｔｅｒｍ  Ｅｖｏｌｕｔｉｏｎ）方式の無線アクセスネットワークが設けられている。
【００１３】
また、本実施形態に係る移動通信システムは、コアネットワーク装置として、情報配信ノードＣＢＥと、情報配信局ＣＢＣ（Ｃｅｌｌ  Ｂｒｏａｄｃａｓｔ  Ｃｅｎｔｅｒ）と、移動管理ノードＭＭＥ（Ｍｏｂｉｌｉｔｙ  Ｍａｎａｇｅｍｅｎｔ  Ｅｎｔｉｔｙ）とを具備している。
【００１４】
さらに、本実施形態に係る移動通信システムは、ＷＣＤＭＡ方式の無線アクセスネットワーク装置として、複数の無線回線制御局ＲＮＣ（Ｒａｄｉｏ  Ｎｅｔｗｏｒｋ  Ｃｏｎｔｒｏｌｌｅｒ）と、複数の無線基地局ＢＴＳとを具備しており、ＬＴＥ方式の無線アクセスネットワーク装置として、複数の無線基地局ｅＮＢを具備している。
【００１５】
また、図２に示すように、ＥＴＷＳやＰＷＳ等の緊急情報は、情報配信ノードＣＢＥによって決められた配信対象エリアＥＡに配信されるように構成されている。
【００１６】
なお、図２に示すように、移動管理ノードＭＭＥは、配信対象エリアＥＡやトラッキングエリアＴＡ（Ｔｒａｃｋｉｎｇ  Ａｒｅａ）に属するセルを管理するように構成されている。
【００１７】
図３に示すように、無線基地局ｅＮＢは、管理部１１と、受信部１２と、送信部１３とを具備している。
【００１８】
管理部１１は、少なくともセルと緊急情報の種別と付加情報とを関連付けて管理するように構成されている。
【００１９】
例えば、管理部１１は、図４に示すように、配信対象エリア（Ｅｍｅｒｇｅｎｃｙ  Ａｒｅａ）と、セル（セル＃１〜＃８）と、緊急情報の種別（Ｗａｒｎｉｇｎ  Ｔｙｐｅ）と、付加情報とを関連付けて管理するように構成されている。
【００２０】
図４の例では、管理部１１は、配信対象エリアとしての「Ｅｍｅｒｇｅｎｃｙ  Ａｒｅａ＃１」と、セル＃１と、緊急情報の種別としての「地震」と、付加情報としての「高い建物から離れる（屋外）」とを関連付けて管理するように構成されている。
【００２１】
同様に、管理部１１は、配信対象エリアとしての「Ｅｍｅｒｇｅｎｃｙ  Ａｒｅａ＃１」と、セル＃１と、緊急情報の種別としての「津波」と、付加情報としての「避難先情報（海岸）」とを関連付けて管理するように構成されている。
【００２２】
さらに、管理部１１は、配信対象エリアとしての「Ｅｍｅｒｇｅｎｃｙ  Ａｒｅａ＃１」と、セル＃２と、緊急情報の種別としての「地震」と、付加情報としての「机の下に避難（屋内）」とを関連付けて管理するように構成されている。
【００２３】
受信部１２は、情報配信局ＣＢＣや移動管理ノードＭＭＥや移動局ＵＥから各種信号を受信するように構成されており、送信部１３は、情報配信局ＣＢＣや移動管理ノードＭＭＥや移動局ＵＥに対して各種信号を送信するように構成されている。
【００２４】
例えば、受信部１２は、情報配信局ＣＢＣ（又は、移動管理ノードＭＭＥ）から、緊急情報を配信するように指示する「Ｓ１-ＡＰ：ＷＲＩＴＥ  ＲＥＰＬＡＣＥ」を受信するように構成されている。
【００２５】
また、送信部１３は、「Ｓ１-ＡＰ：ＷＲＩＴＥ  ＲＥＰＬＡＣＥ」によって指定されている配信対象エリアに対応するセルにおいて、かかる配信対象エリア及びセルに対応する緊急情報、及び、かかるセル及び緊急情報の種別に対応する付加情報を配信するように構成されている。
【００２６】
例えば、送信部１３は、共通チャネルＢＣＨ（Ｂｒｏａｄｃａｓｔ  Ｃｈａｎｎｅｌ）を介して、すなわち、報知情報を用いて、かかる緊急情報及び付加情報を配信するように構成されている。
【００２７】
ここで、「Ｓ１-ＡＰ：ＷＲＩＴＥ  ＲＥＰＬＡＣＥ」は、付加情報の配信の要否についての指示情報を通知するように構成されていてもよい。
【００２８】
送信部１３は、かかる指示情報に基づいて、緊急情報と共に、付加情報を送信するべきか否かについて判定するように構成されていてもよい。
【００２９】
また、送信部１３は、上述の緊急情報と共に、付加情報を送信しているか否かについて通知するように構成されていてもよい。
【００３０】
さらに、送信部１３は、上述の緊急情報と共に、付加情報を送信しているセルの識別情報を通知するように構成されていてもよい。
【００３１】
なお、かかる無線基地局ｅＮＢの構成と同様の構成が、無線回線制御局ＲＮＣや無線基地局ＢＴＳに設けられていてもよい。
【００３２】
以下、図５及び図６を参照して、本実施形態に係る移動通信システムの動作について説明する。
【００３３】
第１に、図５を参照して、本実施形態に係る移動通信システムにおいて、ＬＴＥ方式の無線アクセスネットワークを介して緊急情報を配信する際の動作について説明する。
【００３４】
図５に示すように、ステップＳ１００１において、情報配信局ＣＢＣは、情報配信エンティティＣＢＥからの指示に応じて、無線基地局ｅＮＢに対して、「Ｓ１-ＡＰ：ＷＲＩＴＥ  ＲＥＰＬＡＣＥ」を送信する。
【００３５】
無線基地局ｅＮＢは、「Ｓ１-ＡＰ：ＷＲＩＴＥ  ＲＥＰＬＡＣＥ」を受信すると、ステップＳ１００２において、かかる「Ｓ１-ＡＰ：ＷＲＩＴＥ  ＲＥＰＬＡＣＥ」に基づいて、付加情報を送信するべきか否かについて判定し、送信するべきであると判定した場合には、送信すべき付加情報を決定する。
【００３６】
ステップＳ１００３において、無線基地局ｅＮＢは、ページング信号（Ｐａｇｉｎｇ）を用いて、配信対象エリアに属するセル内の移動局ＵＥに対して、ＥＴＷＳ配信の起動を示す「ＥＴＷＳ  Ｎｏｔｉｆｉｃａｔｉｏｎ」を送信する。
【００３７】
ステップＳ１００４において、無線基地局ｅＮＢは、配信対象エリアに属するセルにおいて、ＥＴＷＳメッセージ受信タイミングで、報知情報であるＳＩＢ１０を用いて、緊急情報である「Ｐｒｉｍａｒｙ  Ｎｏｔｉｆｉｃａｔｉｏｎ」を配信する。
【００３８】
その後、ステップＳ１００５において、無線基地局ｅＮＢは、配信対象エリアに属するセルにおいて、報知情報であるＳＩＢ１１を用いて、緊急情報である「Ｓｅｃｏｎｄａｒｙ  Ｎｏｔｉｆｉｃａｔｉｏｎ」を配信する。
【００３９】
なお、上述の付加情報は、「Ｓｅｃｏｎｄａｒｙ  Ｎｏｔｉｆｉｃａｔｉｏｎ」によって送信されてもよいし、「Ｓｅｃｏｎｄａｒｙ  Ｎｏｔｉｆｉｃａｔｉｏｎ」とは別に送信されてもよい。
【００４０】
第２に、図６を参照して、本実施形態に係る移動通信システムにおいて、ＷＣＤＭＡ方式の無線アクセスネットワークを介して緊急情報を配信する際の動作について説明する。
【００４１】
図６に示すように、ステップＳ２０１１において、情報配信局ＣＢＣは、情報配信エンティティＣＢＥからの指示に応じて、無線回線制御局ＲＮＣに対して、「ＷＲＩＴＥ  ＲＥＰＬＡＣＥ」を送信する。
【００４２】
無線回線制御局ＲＮＣは、「ＷＲＩＴＥ  ＲＥＰＬＡＣＥ」を受信すると、ステップＳ２０１２において、かかる「ＷＲＩＴＥ  ＲＥＰＬＡＣＥ」に基づいて、付加情報を送信するべきか否かについて判定し、送信するべきであると判定した場合には、送信すべき付加情報を決定する。
【００４３】
ステップＳ２０１３において、無線回線制御局ＲＮＣは、ＥＴＷＳメッセージ受信タイミングで、ページング信号（Ｐａｇｉｎｇ）を用いて、配信対象エリアに属するセル内の移動局ＵＥに対して、緊急情報である「Ｐｒｉｍａｒｙ  Ｎｏｔｉｆｉｃａｔｉｏｎ」を送信する。
【００４４】
ステップＳ２０１４において、無線回線制御局ＲＮＣは、配信対象エリアに属するセルにおいて、共通チャネルであるＣＴＣＨ（Ｃｏｍｍｏｎ  Ｔｒａｆｆｉｃ  Ｃｈａｎｎｅｌ）の設定を通知するための報知情報を配信する。
【００４５】
ステップＳ２０１５において、無線回線制御局ＲＮＣは、ＥＴＷＳメッセージ受信タイミングで、配信対象エリアに属するセルにおいて、ＣＴＣＨを介して送信されるＣＢＳメッセージを用いて、緊急情報である「Ｓｅｃｏｎｄａｒｙ  Ｎｏｔｉｆｉｃａｔｉｏｎ」を配信する。
【００４６】
なお、上述の付加情報は、「Ｓｅｃｏｎｄａｒｙ  Ｎｏｔｉｆｉｃａｔｉｏｎ」によって送信されてもよいし、「Ｓｅｃｏｎｄａｒｙ  Ｎｏｔｉｆｉｃａｔｉｏｎ」とは別に送信されてもよい。
【００４７】
本実施形態に係る移動通信システムによれば、情報配信ノードＣＢＥにおける負荷を増大させること無く、地震や津波等の緊急情報の種別に応じて、セル単位で適切な付加情報（避難方法や避難先情報等）を配信することができ、効果的な行動支援を行うことができる。
【００４８】
以上に述べた本実施形態の特徴は、以下のように表現されていてもよい。
【００４９】
本実施形態の第１の特徴は、無線基地局ｅＮＢ及び無線回線制御局ＲＮＣ/無線基地局ＢＴＳ（無線アクセスネットワーク装置）であって、セルと緊急情報の種別と付加情報とを関連付けて管理するように構成されている管理部１１と、緊急情報を配信するように指示された場合、配下のセルにおいて、かかる緊急情報と共に、かかるセル及び緊急情報の種別に関連付けられている付加情報を配信するように構成されている送信部１３とを具備することを要旨とする。
【００５０】
本実施形態の第１の特徴において、送信部１３は、共通チャネルによって、上述の緊急情報及び付加情報を配信するように構成されていてもよい。
【００５１】
かかる構成によれば、既存の緊急情報を送信する共通チャネルを用いて、付加情報を一緒に送信することができ、無線リソースの浪費を回避することができる。
【００５２】
本実施形態の第１の特徴において、管理部１１は、セルと緊急情報の種別と付加情報とに加えて、配信対象エリアとを関連付けて管理するように構成されており、送信部１３は、緊急情報を配信するように指示された配信対象エリアに対応するセルにおいて、上述の緊急情報及び付加情報を配信するように構成されていてもよい。
【００５３】
かかる構成によれば、配信対象エリアとセルとの関連付けを、各無線アクセスネットワーク装置に行わせることによって、移動管理ノードＭＭＥや情報配信局ＣＢＣ等の負荷を軽減することができる。
【００５４】
本実施形態の第１の特徴において、緊急情報の配信指示と共に、付加情報の配信の要否についての指示情報を受信するように構成されている受信部１２を具備しており、送信部１３は、かかる指示情報に基づいて、付加情報を送信するべきか否かについて判定するように構成されていてもよい。
【００５５】
かかる構成によれば、状況に応じて、付加情報の送信の要否について制御することができる。
【００５６】
本実施形態の第１の特徴において、送信部１３は、上述の緊急情報と共に、付加情報を送信しているか否かについて通知するように構成されていてもよい。
【００５７】
かかる構成によれば、移動局ＵＥは、受信すべき付加情報が存在する否かについて把握することができ、効率的且つ確実に付加情報の受信処理を行うことができる。
【００５８】
本実施形態の第１の特徴において、送信部１３は、上述の緊急情報と共に、付加情報を送信しているセルの識別情報を通知するように構成されていてもよい。
【００５９】
かかる構成によれば、移動局ＵＥは、在圏中のセルにおいて付加情報が送信されているか否かについて把握することができるため、効率的且つ確実に付加情報の受信処理を行うことができる。
【００６０】
なお、上述の移動局ＵＥや無線基地局ｅＮＢ/ＢＴＳや無線回線制御局ＲＮＣや移動管理ノードＭＭＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＢＴＳや無線回線制御局ＲＮＣや移動管理ノードＭＭＥ内に設けられていてもよい。また、かかる記憶媒体及びプロセッサは、ディスクリートコンポーネントとして移動局ＵＥや無線基地局ｅＮＢ/ＢＴＳや無線回線制御局ＲＮＣや移動管理ノードＭＭＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
ＣＢＥ…情報配信ノード
ＣＢＣ…情報配信局
ＲＮＣ…無線回線制御局
ＭＭＥ…移動管理ノード
ｅＮＢ、ＢＴＳ…無線基地局
ＵＥ…移動局
１１…管理部
１２…受信部
１３…送信部
【図１】
2014060509.tif 000003
【図２】
2014060509.tif 000004
【図３】
2014060509.tif 000005
【図４】
2014060509.tif 000006
【図５】
2014060509.tif 000007
【図６】
2014060509.tif 000008